(57)【特許請求の範囲】
【請求項１】
ボールケースと、
このボールケース内に配設されたボール部、このボール部に突設されてボールケースから延出されたスタッド部およびこのスタッド部の先端方向に臨んで設けられた座面部を有するボールスタッドと、
前記ボールケース内とボール部との間に介在されたボールシートとを備え、
前記ボールスタッドのスタッド部にボールジョイント取付部材を挿通するとともにナットを螺合し、ナットにてボールジョイント取付部材を座面部へ向けて締め付けるボールジョイント装置において、
前記ボールスタッドのスタッド部に螺合して座面部に接合固定され、座面部とは反対面側に座面部の面積より大きく前記ナットによる締め付けで前記ボールジョイント取付部材と接触するとともにボールスタッドに加わる回転力より大きい摩擦抵抗力を発生する接触面を有する共回り防止プレートを備えた
ことを特徴とするボールジョイント装置。
【発明の詳細な説明】
【０００１】
【産業上の利用分野】
本発明は、ボールジョイント装置に関する。
【０００２】
【従来の技術】
従来、ボールジョイント装置は、例えば、自動車の懸架装置に使用され、スタビライザバーまたはアブソーバなどを結合する結合部分などに用いられている。
【０００３】
このようなボールジョイント装置は、図７に示すように、ボールケース１、ボールスタッド２、図示しないボールシートおよびダストカバー３などからなるボールジョイント４を備えている。ボールスタッド２は、ボールケース１内にボールシートを介在して配設される図示しないボール部を有するとともに、ボール部に突設されてボールケース１から延出されたスタッド部５を有し、このスタッド部５には先端方向に臨んで座面部5aが形成されているとともに先端部分にねじ部5bが形成されている。
【０００４】
そして、ボールスタッド２のスタッド部５にボールジョイント取付部材６を挿通するとともにナット７を螺合し、スパナ８にてナット７を締付方向に回動させてボールジョイント取付部材６を座面部5aへ向けて締め付ける。
【０００５】
このとき、ボールスタッド２がボールシートに対して回転自在であるため、ナット７の回転力がボールスタッド２の座面部5aとボールジョイント取付部材６との摩擦抵抗力より勝ると、ナット７とボールスタッド２との共回りが発生し、締め付けができなくなる。そこで、ボールスタッド２の端面にある六角穴5cに六角レンチ９を嵌合してボールスタッド２の共回りを規制した状態で、スパナ８にてナット７を締付方向に回動し、ボールジョイント取付部材６を座面部5aに締め付けてボールスタッド２に固定する。なお、ナット７の取り外し時も同様に行なう。
【０００６】
【発明が解決しようとする課題】
しかしながら、従来の装置では、ナットを締め付けまたは取り外すときに六角レンチ９にてボールスタッド２の共回りを規制しながら、ナットを操作しなければならないため、ナットの作業性が悪い問題がある。
【０００７】
本発明は、このような点に鑑みなされたもので、ナットの回動操作時におけるボールスタッドの共回りを特別な規制操作なしに防止でき、ボールスタッドに対するボールジョイント取付部材の固定または取り外しの作業性を向上できるボールジョイント装置を提供することを目的とする。
【０００８】
【課題を解決するための手段】
本発明のボールジョイント装置は、ボールケースと、このボールケース内に配設されたボール部、このボール部に突設されてボールケースから延出されたスタッド部およびこのスタッド部の先端方向に臨んで設けられた座面部を有するボールスタッドと、前記ボールケース内とボール部との間に介在されたボールシートとを備え、前記ボールスタッドのスタッド部にボールジョイント取付部材を挿通するとともにナットを螺合し、ナットにてボールジョイント取付部材を座面部へ向けて締め付けるボールジョイント装置において、前記ボールスタッドのスタッド部に螺合して座面部に接合固定され、座面部とは反対面側に座面部の面積より大きく前記ナットによる締め付けで前記ボールジョイント取付部材と接触するとともにボールスタッドに加わる回転力より大きい摩擦抵抗力を発生する接触面を有する共回り防止プレートを備えたものである。
【０００９】
【作用】
本発明のボールジョイント装置では、ボールジョイント取付部材にボールスタッドのスタッド部を挿通するとともに、ナットをスタッド部に螺合し、そのナットを締付方向に回動させて、ボールジョイント取付部材を共回り防止プレートに対して締め付ける。このとき、共回り防止プレートのボールジョイント取付部材と接触する接触面の面積がスタッド部の座面部より大きく、ボールジョイント取付部材と共回り防止プレートの接触面との摩擦抵抗力をボールスタッドに加わる回転力より大きくするために、ナットの回動操作時におけるボールスタッドの共回りを特別な規制操作なしに防止し、ボールスタッドに対するボールジョイント取付部材の固定または取り外しを行なえる。
【００１０】
【実施例】
以下、本発明のボールジョイント装置の一実施例の構成を図１ないし図６を参照して説明する。
【００１１】
図１ないし図３において、11はボールジョイント本体で、このボールジョイント本体11は、ボールケース12、ボールスタッド13、ボールシート14、ダストカバー15を備えた一般的な汎用品であり、さらに、共回り防止プレート16を備えている。
【００１２】
ボールケース12は、円筒状に形成されており、内室21およびこの内室21に連通する開口部22，23が軸方向の両端面に形成されている。
【００１３】
ボールスタッド13は、ボール部24およびこのボール部24から突設されたスタッド部25を有している。スタッド部25には、図４に示すように、根本部分から先端部分にかけて、径大な軸部26、この軸部26より外方に突出するフランジ部27、軸部26およびフランジ部27より径小な軸部28が形成され、軸部28の根本部28a を除く周面に雄ねじ29が形成されている。フランジ部27のスタッド部25の先端に臨む端面には座面部30が形成されている。なお、軸部の径Ｄ1 は雄ねじ29の谷径Ｄ2 より大きく山径Ｄ3 よりも小さいＤ2 ＜Ｄ1 ＜Ｄ3 の寸法関係にある。そして、ボール部24がボールケース12の内室に配設されているとともに、スタッド部25がボールケース12の一端の開口部22から延出されている。
【００１４】
ボールシート14は、ボール部24を嵌合する球面状の嵌合部31およびこの嵌合部31の一端にボール部24より径小でスタッド部25が突出する開口部32が形成されている。そして、ボールスタッド13のボール部24を嵌合したボールシート14は、ボールケース12の開口部23を通じて内室21に挿入され、開口部23を閉塞する係止板33によってボールケース12内に係止されている。
【００１５】
ダストカバー15は、ゴムなどの弾性体にてほぼ釣鐘状に形成され、ボールケース12の外周に嵌合する嵌合部34a が形成されているとともに、ボールスタッド13の軸部26の外周に嵌合する嵌合部34b が形成されている。
【００１６】
共回り防止プレート16は、図５および図６に示すように、座面部30より大形のほぼ正方形のプレート状に形成され、その厚み方向の一方の面が座面部30との接合面35とされるとともに、他方の面が後述するボールジョイント取付部材51との接触面36とされる。共回り防止プレート16の外周の４つの角部には円弧状の面取部37が形成されているとともに、接合面35の周囲の角部に面取部38が形成されている。共回り防止プレート16の中心部には貫通孔39が形成され、この貫通孔39の内側に雌ねじ40が形成されているとともに、貫通孔39の接合面35側に環状の溝部41が形成されている。雌ねじ40はボールスタッド13の雄ねじ29に螺合可能とし、雌ねじ40の山径Ｄ4 はボールスタッド13の雄ねじ29の谷径Ｄ2 よりも大きく根本部28a の径Ｄ1 より小さいＤ2 ＜Ｄ4 ＜Ｄ1 寸法関係にある。なお、接触面36の面積は、座面部30の面積より大きい。
【００１７】
そして、共回り防止プレート16の雌ねじ40をボールスタッド13の雄ねじ29の先端側から根本部28a へ向けて螺合するとともに根本部28a の外周に螺合し、共回り防止プレート16の接合面35を座面部30に接合させて強固に締め付け固定する。なお、根本部28a とフランジ部27との角部に位置するアール部27a が溝部41内に入るため、接合面35と座面部30は密着する。
【００１８】
また、図１および図２に示すように、51はボールジョイント取付部材で、例えば自動車の懸架装置に使用されるスタビライザまたはサスペンション部品であり、板状に形成され、ボールスタッド13のスタッド部25に挿通可能とする通孔52が形成されている。
【００１９】
また、61はナットで、このナット61は、座62を有する六角ナットであり、中心部には貫通孔63が形成されているとともにこの貫通孔63の内側に雄ねじ29に螺合される雌ねじ64が形成されている。
【００２０】
次に、本実施例の作用を説明する。
【００２１】
例えば、自動車の組立ラインにおいて、ボールジョイント本体11は、スタビライザバー、ロアアームまたはアブソーバなどのそれぞれのボールジョイント取付部材51に取り付けられる。
【００２２】
ボールスタッド13に対するボールジョイント取付部材51の取付作業は、ボールジョイント取付部材51の通孔52をボールスタッド13のスタッド部25に挿通するとともに、ナット61をスタッド部25の雄ねじ29に螺合し、そのナット61を締付方向に回動させて、ボールジョイント取付部材51を共回り防止プレート16に対して締め付ける。
【００２３】
ところで、ナット61がボールジョイント取付部材51に接触した後、ナット61に締付トルクを与えると、ボールスタッド13に軸力が働いてナット61と一緒に共回りする回転力が作用し、ボールジョイント取付部材51とボールスタッド13との接触面の摩擦抵抗力が回転力より大きいとナット61が締め付けられるが、摩擦抵抗力が回転力より小さいとボールスタッド13の共回りが生じることになる。
【００２４】
ボールスタッド13の座面部30とボールジョイント取付部材51との間に共回り防止プレート16が介在し、ボールジョイント取付部材51が座面部30の面積より大きな共回り防止プレート16の接触面36に接合するため、ボールジョイント取付部材51とボールスタッド13との接触面36の摩擦抵抗力を回転力より大きくでき、ボールスタッド13の共回りを規制できる。
【００２５】
したがって、一般的な汎用品のボールジョイント本体11に共回り防止プレート16を予め固定しておくことにより、ボールジョイント装置と他の部品とを組み付ける組立ラインでは、ボールスタッド13の共回りを六角ナットなどにて規制することなく、ナット61にてボールジョイント取付部材51を共回り防止プレート16に締め付け固定できる。
【００２６】
また、ボールジョイント取付部材51を取り外す場合にも、ボールスタッド13の共回りを六角ナットなどにて規制することなく、ナット61を緩めてボールジョイント取付部材51を取り外すことができる。
【００２７】
なお、共回り防止プレート16の形状は前記実施例に記載した形状に限定されるものではなく、ボールスタッド13の座面部の面積より大きければどのような形状でもよい。
【００２８】
また、ボールスタッド13の軸部28が軸部26より径大でもよい。
【００２９】
【発明の効果】
本発明のボールジョイント装置によれば、ボールスタッドのスタッド部に、ボールジョイント取付部材と接触する接触面の面積がスタッド部の座面部より大きい共回り防止プレートを固定したので、ボールジョイント取付部材と共回り防止プレートの接触面との摩擦抵抗力をボールスタッドに加わる回転力より大きくすることが可能となり、ナットの回動操作時におけるボールスタッドの共回りを特別な規制操作なしに防止でき、ボールスタッドに対するボールジョイント取付部材の固定または取り外しの作業性を向上できる。
【図面の簡単な説明】
【図１】本発明のボールジョイント装置の一実施例を示す側面図である。
【図２】同上実施例の一部分解状態の斜視図である。
【図３】同上実施例のボールジョイント本体の断面図である。
【図４】同上実施例のボールスタッドの一部を拡大した側面図である。
【図５】同上実施例の共回り防止プレートの平面図である。
【図６】同上実施例の共回り防止プレートの断面図である。
【図７】従来のボールジョイント装置の説明図である。
【符号の説明】
12    ボールケース
13    ボールスタッド
14    ボールシート
16    共回り防止プレート
24    ボール部
25    スタッド部
30    座面部
36    接触面
51    ボールジョイント取付部材
61    ナット
【図１】
0003725913.tif 000002
【図２】
0003725913.tif 000003
【図３】
0003725913.tif 000004
【図４】
0003725913.tif 000005
【図５】
0003725913.tif 000006
【図６】
0003725913.tif 000007
【図７】
0003725913.tif 000008